(57)【要約】【課題】第１のユーザーが画像処理装置にログインし該装置を使用中に、第２のユーザーに対して割り込み的にログインを許可する画像処理装置において、第２のユーザーのログインにより第１のユーザーを単にログアウト状態にしてしまう場合の問題や、第２のユーザーの使用終了時に第１のユーザーをログイン状態に戻してしまう場合の問題を解決できる画像処理装置等を提供する。【解決手段】第１のユーザーの位置が自装置１から一定範囲内の位置であると判断された場合、第１のユーザーをログイン状態とすると共に、記憶手段３８に退避させた第１のユーザーの設定状態及び残ジョブ情報を呼び戻し、ユーザーの設定状態を復帰させ残ジョブを実行可能とする。一方、第１のユーザーの位置が自装置から一定範囲外の位置であると判断された場合、第１のユーザーをログイン状態にせず、ログイン待ち状態とする。【選択図】  図５
2015022647.tif 000002
【特許請求の範囲】
【請求項１】
ユーザー認証手段と、
記憶手段と、
前記ユーザー認証手段により認証を受けた第１のユーザーがログイン中に、第２のユーザーが前記ユーザー認証手段により認証を受けてログインしたとき、前記第１のユーザーの設定状態及び残ジョブ情報を前記記憶手段に退避して前記第２のユーザーをログイン状態にする制御手段と、
前記制御手段によりログイン状態となされた前記第２のユーザーがログアウトするとき、前記第１のユーザーの位置を該ユーザーが所有する携帯端末装置からの情報に基づいて検知する位置検知手段と、
前記位置検知手段により検知された第１のユーザーの位置が、自装置から一定範囲内の位置であるかどうかを判断する位置判断手段と、
を備え、
前記制御手段は、前記位置判断手段により前記第１のユーザーの位置が自装置から一定範囲内の位置であると判断された場合、第１のユーザーをログイン状態とすると共に、前記記憶手段に退避させた前記第１のユーザーの設定状態及び残ジョブ情報を呼び戻し、ユーザーの設定状態を復帰させ残ジョブを実行可能とし、前記位置判断手段により前記第１のユーザーの位置が自装置から一定範囲外の位置であると判断された場合、第１のユーザーをログイン状態にせず、ログイン待ち状態とすることを特徴とする画像処理装置。
【請求項２】
前記位置検知手段は、前記第２のユーザーがログアウトするとき、第１及び第２のユーザー以外の第３のユーザーの位置を該第３のユーザーが所有する携帯端末装置からの情報に基づいて検知し、
前記位置判断手段は、前記第１のユーザーの位置が、前記位置検知手段により検知された前記第３のユーザーの位置よりも自装置に近いかどうかを判断し、
前記制御手段は、前記第１のユーザーの位置が自装置から一定範囲内の位置であり、かつ前記位置判断手段により前記第１のユーザーの位置が第３のユーザーの位置よりも自装置に近いと判断された場合に限り、第１のユーザーをログイン状態とすると共に、前記記憶手段に退避させた前記第１のユーザーの設定状態及び残ジョブ情報を呼び戻し、ユーザーの設定状態を復帰させ残ジョブを実行可能とする請求項１に記載の画像処理装置。
【請求項３】
自装置が設置された室内へのユーザーの入退室を管理する入退室管理装置の情報に基づいて、前記第２のユーザーがログアウトするとき、前記第１のユーザーが前記室内に存在しているかどうかを判定する存在判定手段を備え、
前記制御手段は、前記第１のユーザーの位置が自装置から一定範囲内の位置であり、かつ前記存在判定手段により第１のユーザーが前記室内に居ると判定された場合に限り、第１のユーザーをログイン状態とすると共に、前記記憶手段に退避させた前記第１のユーザーの設定状態及び残ジョブ情報を呼び戻し、ユーザーの設定状態を復帰させ残ジョブを実行可能とする請求項１に記載の画像処理装置。
【請求項４】
自装置が設置された室内へのユーザーの入退室を管理する入退室管理装置の情報に基づいて、前記第２のユーザーがログアウトするとき、前記室内に存在しているユーザーを判定する存在判定手段を備え、
前記制御手段は、前記第１のユーザーの位置が自装置から一定範囲内の位置であり、前記存在判定手段により第１のユーザーが前記室内に居ると判定され、かつ前記位置判断手段により前記第１のユーザーの位置が前記室内に居ると判定された前記第３のユーザーの位置よりも自装置に近いと判断された場合に限り、第１のユーザーをログイン状態とすると共に、前記記憶手段に退避させた前記第１のユーザーの設定状態及び残ジョブ情報を呼び戻し、ユーザーの設定状態を復帰させ残ジョブを実行可能とする請求項２に記載の画像処理装置。
【請求項５】
ユーザー認証ステップと、
前記ユーザー認証ステップにおいて認証を受けた第１のユーザーがログイン中に、第２のユーザーが前記ユーザー認証ステップにおいて認証を受けてログインしたとき、前記第１のユーザーの設定状態及び残ジョブ情報を記憶手段に退避して前記第２のユーザーをログイン状態にする制御ステップと、
前記制御ステップにおいてログイン状態となされた前記第２のユーザーがログアウトするとき、前記第１のユーザーの位置を該ユーザーが所有する携帯端末装置からの情報に基づいて検知する位置検知ステップと、
前記位置検知ステップにおいて検知された第１のユーザーの位置が、自装置から一定範囲内の位置であるかどうかを判断する位置判断ステップと、
を実行し、
前記制御ステップでは、前記位置判断ステップにおいて前記第１のユーザーの位置が自装置から一定範囲内の位置であると判断された場合、第１のユーザーをログイン状態とすると共に、前記記憶手段に退避させた前記第１のユーザーの設定状態及び残ジョブ情報を呼び戻し、ユーザーの設定状態を復帰させ残ジョブを実行可能とし、前記位置判断ステップにおいて前記第１のユーザーの位置が自装置から一定範囲外の位置であると判断された場合、第１のユーザーをログイン状態にせず、ログイン待ち状態とすることを特徴とする画像処理装置におけるログイン制御方法。
【請求項６】
ユーザー認証ステップと、
前記ユーザー認証ステップにおいて認証を受けた第１のユーザーがログイン中に、第２のユーザーが前記ユーザー認証ステップにおいて認証を受けてログインしたとき、前記第１のユーザーの設定状態及び残ジョブ情報を記憶手段に退避して前記第２のユーザーをログイン状態にする制御ステップと、
前記制御ステップにおいてログイン状態となされた前記第２のユーザーがログアウトするとき、前記第１のユーザーの位置を該ユーザーが所有する携帯端末装置からの情報に基づいて検知する位置検知ステップと、
前記位置検知ステップにおいて検知された第１のユーザーの位置が、自装置から一定範囲内の位置であるかどうかを判断する位置判断ステップと、
を画像処理装置のコンピュータに実行させ、
前記制御ステップでは、前記位置判断ステップにおいて前記第１のユーザーの位置が自装置から一定範囲内の位置であると判断された場合、第１のユーザーをログイン状態とすると共に、前記記憶手段に退避させた前記第１のユーザーの設定状態及び残ジョブ情報を呼び戻し、ユーザーの設定状態を復帰させ残ジョブを実行可能とし、前記位置判断ステップにおいて前記第１のユーザーの位置が自装置から一定範囲外の位置であると判断された場合、第１のユーザーをログイン状態にせず、ログイン待ち状態とする処理を前記コンピュータに実行させるためのログイン制御プログラム。
【請求項７】
前記位置検知ステップでは、前記第２のユーザーがログアウトするとき、第１及び第２のユーザー以外の第３のユーザーの位置を該ユーザーが所有する携帯端末装置からの情報に基づいて検知し、
前記位置判断ステップでは、前記第１のユーザーの位置が、前記位置検知ステップにおいて検知された前記第３のユーザーの位置よりも自装置に近いかどうかを判断し、
前記制御ステップでは、前記第１のユーザーの位置が自装置から一定範囲内の位置であり、かつ前記位置判断ステップにおいて前記第１のユーザーの位置が前記第３のユーザーの位置よりも自装置に近いと判断された場合に限り、第１のユーザーをログイン状態とすると共に、前記記憶手段に退避させた前記第１のユーザーの設定状態及び残ジョブ情報を呼び戻し、ユーザーの設定状態を復帰させ残ジョブを実行可能とする処理を前記コンピュータに実行させる請求項６に記載のログイン制御プログラム。
【請求項８】
自装置が設置された室内へのユーザーの入退室を管理する入退室管理装置の情報に基づいて、前記第２のユーザーがログアウトするとき、前記第１のユーザーが前記室内に存在しているかどうかを判定する存在判定ステップを前記コンピュータにさらに実行させ、
前記制御ステップでは、前記第１のユーザーの位置が自装置から一定範囲内の位置であり、かつ前記存在判定ステップにおいて第１のユーザーが前記室内に居ると判定された場合に限り、第１のユーザーをログイン状態とすると共に、前記記憶手段に退避させた前記第１のユーザーの設定状態及び残ジョブ情報を呼び戻し、ユーザーの設定状態を復帰させ残ジョブを実行可能とする処理を前記コンピュータに実行させる請求項６に記載のログインプログラム。
【請求項９】
自装置が設置された室内へのユーザーの入退室を管理する入退室管理装置の情報に基づいて、前記第２のユーザーがログアウトするとき、前記室内に存在しているユーザーを判定する存在判定ステップを前記コンピュータにさらに実行させ、
前記制御ステップでは、前記第１のユーザーの位置が自装置から一定範囲内の位置であり、前記存在判定手段ステップにおいて第１のユーザーが前記室内に居ると判定され、かつ前記位置判断ステップにおいて前記第１のユーザーの位置が前記室内に居ると判定された前記第３のユーザーの位置よりも自装置に近いと判断された場合に限り、第１のユーザーをログイン状態とすると共に、前記記憶手段に退避させた前記第１のユーザーの設定状態及び残ジョブ情報を呼び戻し、ユーザーの設定状態を復帰させ残ジョブを実行可能とする処理を前記コンピュータに実行させる請求項７に記載のログイン制御プログラム。
【発明の詳細な説明】
【技術分野】
【０００１】
この発明は、第１のユーザーがログイン中に第２のユーザーが割り込んでログインすることが可能な画像処理装置、この画像処理装置におけるログイン制御方法及びログイン制御プログラムに関する。
【背景技術】
【０００２】
多機能デジタル複合機であるＭＦＰ（Multi Function Peripherals）と称される画像処理装置として、上記のように、第１のユーザーがログイン中に第２のユーザーが割り込んでログインすることが可能なものが知られている。
【０００３】
例えば、特許文献１には、認証管理時、あるユーザー（第１のユーザー）のログイン時にそのユーザーより使用優先権を有するユーザー（第２のユーザー）がログインしようとしたらそれを受け付け、その第１のユーザーの設定状態や中断情報などを退避しておき、第２のユーザーがログアウトしたときにその退避した状態に復帰する技術が開示されている。
【０００４】
また、特許文献２には、あるユーザー（第１のユーザー）の使用時に他のユーザー（第２のユーザー)が割り込んだ場合、第１のユーザーの中断情報を退避しておき、第２のユーザーが使用終了してログアウトしたときに、第１のユーザーをログイン状態に戻さずに認証待ち状態にして、第１のユーザーが認証したら退避した中断情報にて再開する技術が開示されている。
【先行技術文献】
【特許文献】
【０００５】
【特許文献１】特開２０１０−１２２２７９号公報
【特許文献２】特開２００８−３０６５２８号公報
【発明の概要】
【発明が解決しようとする課題】
【０００６】
しかしながら、認証を受けた第１のユーザーがログインして装置を使用中に、第２のユーザーに対して割り込み的にログインを許可する従来の技術において、第２のユーザーのログインにより第１のユーザーを単にログアウト状態にしてしまうと、第２のユーザーの使用終了時に、第１のユーザーがすぐに使用再開したいとマシンの近くにいるにもかかわらず、再ログイン動作を行わなければならず煩わしかった。
【０００７】
逆に、第２のユーザーのログアウト時に第１のユーザーをログイン状態に戻してしまうと、第２のユーザーのログアウト時に、第１のユーザーが画像処理装置から遠く離れた場所にいる場合は、画像処理装置まで戻るのに時間がかかり、その間に他のユーザーが第１のユーザーとして画像処理装置を使用できてしまうという問題があった。
【０００８】
この発明は、上記実情に鑑みてなされたものであり、第１のユーザーが画像処理装置にログインし該装置を使用中に、第２のユーザーに対して割り込み的にログインを許可する画像処理装置において、第２のユーザーのログインにより第１のユーザーを単にログアウト状態にしてしまう場合の問題や、第２のユーザーのログアウト時に第１のユーザーをログイン状態に戻してしまう場合の問題を解決できる画像処理装置を提供し、さらにはこの画像処理装置で実施されるログイン制御方法、及び画像処理装置のコンピュータに前記ログイン方法を実行させるためのログイン制御プログラムの提供を課題とする。
【課題を解決するための手段】
【０００９】
上記課題は以下の手段によって解決される。
（１）ユーザー認証手段と、記憶手段と、前記ユーザー認証手段により認証を受けた第１のユーザーがログイン中に、第２のユーザーが前記ユーザー認証手段により認証を受けてログインしたとき、前記第１のユーザーの設定状態及び残ジョブ情報を前記記憶手段に退避して前記第２のユーザーをログイン状態にする制御手段と、前記制御手段によりログイン状態となされた前記第２のユーザーがログアウトするとき、前記第１のユーザーの位置を該ユーザーが所有する携帯端末装置からの情報に基づいて検知する位置検知手段と、前記位置検知手段により検知された第１のユーザーの位置が、自装置から一定範囲内の位置であるかどうかを判断する位置判断手段と、を備え、前記制御手段は、前記位置判断手段により前記第１のユーザーの位置が自装置から一定範囲内の位置であると判断された場合、第１のユーザーをログイン状態とすると共に、前記記憶手段に退避させた前記第１のユーザーの設定状態及び残ジョブ情報を呼び戻し、ユーザーの設定状態を復帰させ残ジョブを実行可能とし、前記位置判断手段により前記第１のユーザーの位置が自装置から一定範囲外の位置であると判断された場合、第１のユーザーをログイン状態にせず、ログイン待ち状態とすることを特徴とする画像処理装置。
（２）前記位置検知手段は、前記第２のユーザーがログアウトするとき、第１及び第２のユーザー以外の第３のユーザーの位置を該第３のユーザーが所有する携帯端末装置からの情報に基づいて検知し、前記位置判断手段は、前記第１のユーザーの位置が、前記位置検知手段により検知された前記第３のユーザーの位置よりも自装置に近いかどうかを判断し、前記制御手段は、前記第１のユーザーの位置が自装置から一定範囲内の位置であり、かつ前記位置判断手段により前記第１のユーザーの位置が第３のユーザーの位置よりも自装置に近いと判断された場合に限り、第１のユーザーをログイン状態とすると共に、前記記憶手段に退避させた前記第１のユーザーの設定状態及び残ジョブ情報を呼び戻し、ユーザーの設定状態を復帰させ残ジョブを実行可能とする前項１に記載の画像処理装置。
（３）自装置が設置された室内へのユーザーの入退室を管理する入退室管理装置の情報に基づいて、前記第２のユーザーがログアウトするとき、前記第１のユーザーが前記室内に存在しているかどうかを判定する存在判定手段を備え、前記制御手段は、前記第１のユーザーの位置が自装置から一定範囲内の位置であり、かつ前記存在判定手段により第１のユーザーが前記室内に居ると判定された場合に限り、第１のユーザーをログイン状態とすると共に、前記記憶手段に退避させた前記第１のユーザーの設定状態及び残ジョブ情報を呼び戻し、ユーザーの設定状態を復帰させ残ジョブを実行可能とする前項１に記載の画像処理装置。
（４）自装置が設置された室内へのユーザーの入退室を管理する入退室管理装置の情報に基づいて、前記第２のユーザーがログアウトするとき、前記室内に存在しているユーザーを判定する存在判定手段を備え、前記制御手段は、前記第１のユーザーの位置が自装置から一定範囲内の位置であり、前記存在判定手段により第１のユーザーが前記室内に居ると判定され、かつ前記位置判断手段により前記第１のユーザーの位置が前記室内に居ると判定された前記第３のユーザーの位置よりも自装置に近いと判断された場合に限り、第１のユーザーをログイン状態とすると共に、前記記憶手段に退避させた前記第１のユーザーの設定状態及び残ジョブ情報を呼び戻し、ユーザーの設定状態を復帰させ残ジョブを実行可能とする前項２に記載の画像処理装置。
（５）ユーザー認証ステップと、前記ユーザー認証ステップにおいて認証を受けた第１のユーザーがログイン中に、第２のユーザーが前記ユーザー認証ステップにおいて認証を受けてログインしたとき、前記第１のユーザーの設定状態及び残ジョブ情報を記憶手段に退避して前記第２のユーザーをログイン状態にする制御ステップと、前記制御ステップにおいてログイン状態となされた前記第２のユーザーがログアウトするとき、前記第１のユーザーの位置を該ユーザーが所有する携帯端末装置からの情報に基づいて検知する位置検知ステップと、前記位置検知ステップにおいて検知された第１のユーザーの位置が、自装置から一定範囲内の位置であるかどうかを判断する位置判断ステップと、を実行し、前記制御ステップでは、前記位置判断ステップにおいて前記第１のユーザーの位置が自装置から一定範囲内の位置であると判断された場合、第１のユーザーをログイン状態とすると共に、前記記憶手段に退避させた前記第１のユーザーの設定状態及び残ジョブ情報を呼び戻し、ユーザーの設定状態を復帰させ残ジョブを実行可能とし、前記位置判断ステップにおいて前記第１のユーザーの位置が自装置から一定範囲外の位置であると判断された場合、第１のユーザーをログイン状態にせず、ログイン待ち状態とすることを特徴とする画像処理装置におけるログイン制御方法。
（６）ユーザー認証ステップと、前記ユーザー認証ステップにおいて認証を受けた第１のユーザーがログイン中に、第２のユーザーが前記ユーザー認証ステップにおいて認証を受けてログインしたとき、前記第１のユーザーの設定状態及び残ジョブ情報を記憶手段に退避して前記第２のユーザーをログイン状態にする制御ステップと、前記制御ステップにおいてログイン状態となされた前記第２のユーザーがログアウトするとき、前記第１のユーザーの位置を該ユーザーが所有する携帯端末装置からの情報に基づいて検知する位置検知ステップと、前記位置検知ステップにおいて検知された第１のユーザーの位置が、自装置から一定範囲内の位置であるかどうかを判断する位置判断ステップと、を画像処理装置のコンピュータに実行させ、前記制御ステップでは、前記位置判断ステップにおいて前記第１のユーザーの位置が自装置から一定範囲内の位置であると判断された場合、第１のユーザーをログイン状態とすると共に、前記記憶手段に退避させた前記第１のユーザーの設定状態及び残ジョブ情報を呼び戻し、ユーザーの設定状態を復帰させ残ジョブを実行可能とし、前記位置判断ステップにおいて前記第１のユーザーの位置が自装置から一定範囲外の位置であると判断された場合、第１のユーザーをログイン状態にせず、ログイン待ち状態とする処理を前記コンピュータに実行させるためのログイン制御プログラム。
（７）前記位置検知ステップでは、前記第２のユーザーがログアウトするとき、第１及び第２のユーザー以外の第３のユーザーの位置を該ユーザーが所有する携帯端末装置からの情報に基づいて検知し、前記位置判断ステップでは、前記第１のユーザーの位置が、前記位置検知ステップにおいて検知された前記第３のユーザーの位置よりも自装置に近いかどうかを判断し、前記制御ステップでは、前記第１のユーザーの位置が自装置から一定範囲内の位置であり、かつ前記位置判断ステップにおいて前記第１のユーザーの位置が前記第３のユーザーの位置よりも自装置に近いと判断された場合に限り、第１のユーザーをログイン状態とすると共に、前記記憶手段に退避させた前記第１のユーザーの設定状態及び残ジョブ情報を呼び戻し、ユーザーの設定状態を復帰させ残ジョブを実行可能とする処理を前記コンピュータに実行させる前項６に記載のログイン制御プログラム。
（８）自装置が設置された室内へのユーザーの入退室を管理する入退室管理装置の情報に基づいて、前記第２のユーザーがログアウトするとき、前記第１のユーザーが前記室内に存在しているかどうかを判定する存在判定ステップを前記コンピュータにさらに実行させ、前記制御ステップでは、前記第１のユーザーの位置が自装置から一定範囲内の位置であり、かつ前記存在判定ステップにおいて第１のユーザーが前記室内に居ると判定された場合に限り、第１のユーザーをログイン状態とすると共に、前記記憶手段に退避させた前記第１のユーザーの設定状態及び残ジョブ情報を呼び戻し、ユーザーの設定状態を復帰させ残ジョブを実行可能とする処理を前記コンピュータに実行させる前項６に記載のログインプログラム。
（９）自装置が設置された室内へのユーザーの入退室を管理する入退室管理装置の情報に基づいて、前記第２のユーザーがログアウトするとき、前記室内に存在しているユーザーを判定する存在判定ステップを前記コンピュータにさらに実行させ、前記制御ステップでは、前記第１のユーザーの位置が自装置から一定範囲内の位置であり、前記存在判定手段ステップにおいて第１のユーザーが前記室内に居ると判定され、かつ前記位置判断ステップにおいて前記第１のユーザーの位置が前記室内に居ると判定された前記第３のユーザーの位置よりも自装置に近いと判断された場合に限り、第１のユーザーをログイン状態とすると共に、前記記憶手段に退避させた前記第１のユーザーの設定状態及び残ジョブ情報を呼び戻し、ユーザーの設定状態を復帰させ残ジョブを実行可能とする処理を前記コンピュータに実行させる前項７に記載のログイン制御プログラム。
【発明の効果】
【００１０】
前項（１）に記載の発明によれば、ユーザー認証手段により認証を受けた第１のユーザーがログイン中に、第２のユーザーが前記ユーザー認証手段により認証を受けてログインしたとき、前記第１のユーザーの設定状態及び残ジョブ情報を前記記憶手段に退避して前記第２のユーザーをログイン状態にする。また、第２のユーザーがログアウトするとき、第１のユーザーの位置を該ユーザーが所有する携帯端末装置からの情報に基づいて検知し、検知された第１のユーザーの位置が、自装置から一定範囲内の位置であるかどうかが判断される。
【００１１】
そして、前記第１のユーザーの位置が自装置から一定範囲内の位置であると判断された場合、第１のユーザーをログイン状態とすると共に、記憶手段に退避させた第１のユーザーの設定状態及び残ジョブ情報を呼び戻し、ユーザーの設定状態を復帰させ残ジョブを実行可能とする。一方、前記第１のユーザーの位置が自装置から一定範囲外の位置であると判断された場合、第１のユーザーをログイン状態にせず、ログイン待ち状態とする。
【００１２】
つまり、第１のユーザーがすぐに使用再開するため自装置から一定範囲内にいる場合、換言すれば第１のユーザーが自装置の近くにいる場合は、第１のユーザーをログイン状態とするから、第１のユーザーは再ログイン動作を行う必要なく使用可能となり、操作性の良いものとなる。
【００１３】
逆に、第１のユーザーの位置が自装置から一定範囲外の位置である場合、つまり第１のユーザーが自装置から遠く離れた場所にいるような場合は、第１のユーザーをログイン状態にせず、ログイン待ち状態とするから、画像処理装置に戻るまでの間に他のユーザーが第１のユーザーとして画像処理装置を使用できてしまうという不都合を解消できる。
【００１４】
前項（２）に記載の発明によれば、第２のユーザーがログアウトするとき、第１及び第２のユーザー以外の第３のユーザーの位置を該ユーザーが所有する携帯端末装置からの情報に基づいて検知するとともに、第１のユーザーの位置が自装置から一定範囲内の位置であり、かつ第１のユーザーの位置が第３のユーザーの位置よりも自装置に近いと判断された場合に限り、第１のユーザーをログイン状態とすると共に、記憶手段に退避させた第１のユーザーの設定状態及び残ジョブ情報を呼び戻し、ユーザーの設定状態を復帰させ残ジョブを実行可能とするから、画像処理装置に戻るまでの間に第３のユーザーが画像処理装置を使用するのを確実に防止できる。
【００１５】
前項（３）に記載の発明によれば、第２のユーザーがログアウトするとき、第１のユーザーの位置が自装置から一定範囲内の位置であり、かつ第１のユーザーが自装置が設置された室内に居ると判定された場合に限り、第１のユーザーをログイン状態とすると共に、記憶手段に退避させた第１のユーザーの設定状態及び残ジョブ情報を呼び戻し、ユーザーの設定状態を復帰させ残ジョブを実行可能とするから、第１のユーザーの位置が自装置から一定範囲内の位置であっても、第１のユーザーが自装置が設置された室内に居ない場合には、ログイン待ち状態にして、画像処理装置に戻るまでの間に他のユーザーが画像処理装置を使用するのを防止できる。
【００１６】
前項（４）に記載の発明によれば、第２のユーザーがログアウトするとき、第１のユーザーの位置が自装置から一定範囲内の位置であり、第１のユーザーが自装置が設置された室内に居ると判定され、かつ第１のユーザーの位置が前記室内に居ると判定された第３のユーザーの位置よりも自装置に近いと判断された場合に限り、第１のユーザーをログイン状態とすると共に、記憶手段に退避させた第１のユーザーの設定状態及び残ジョブ情報を呼び戻し、ユーザーの設定状態を復帰させ残ジョブを実行可能とするから、画像処理装置に戻るまでの間に第３のユーザーが画像処理装置を使用するのを確実に防止できる。
【００１７】
前項（５）に記載の発明によれば、第２のユーザーがログアウトするとき、第１のユーザーが自装置の近くにいる場合は、第１のユーザーをログイン状態とするから、第１のユーザーは再ログイン動作を行う必要なく使用可能となり、操作性の良いものとなり、逆に、第１のユーザーが自装置から遠く離れた場所にいるような場合に、画像処理装置に戻るまでの間に他のユーザーが第１のユーザーとして画像処理装置を使用できてしまうという不都合を解消できる。
【００１８】
前項（６）に記載の発明によれば、第２のユーザーがログアウトするとき、第１のユーザーが自装置の近くにいる場合は、第１のユーザーをログイン状態とし、第１のユーザーが自装置から遠く離れた場所にいるような場合に、第１のユーザーをログイン状態にせず、ログイン待ち状態とする処理を、画像処理装置のコンピュータに実行させることができる。
【００１９】
前項（７）に記載の発明によれば、第２のユーザーがログアウトするとき、第１及び第２のユーザー以外の第３のユーザーの位置を該ユーザーが所有する携帯端末装置からの情報に基づいて検知するとともに、第１のユーザーの位置が自装置から一定範囲内の位置であり、かつ第１のユーザーの位置が他のユーザーの位置よりも自装置に近いと判断された場合に限り、第１のユーザーをログイン状態とする処理を、画像処理装置のコンピュータに実行させることができる。
【００２０】
前項（８）に記載の発明によれば、第２のユーザーがログアウトするとき、第１のユーザーの位置が自装置から一定範囲内の位置であり、かつ第１のユーザーが自装置が設置された室内に居ると判定された場合に限り、第１のユーザーをログイン状態とする処理を、画像処理装置のコンピュータに実行させることができる。
【００２１】
前項（９）に記載の発明によれば、第２のユーザーがログアウトするとき、第１のユーザーの位置が自装置から一定範囲内の位置であり、第１のユーザーが自装置が設置された室内に居ると判定され、かつ第１のユーザーの位置が前記室内に居ると判定された第３のユーザーの位置よりも自装置に近いと判断された場合に限り、第１のユーザーをログイン状態とする処理を、画像処理装置のコンピュータに実行させることができる。
【図面の簡単な説明】
【００２２】
【図１】この発明の一実施形態に係る画像処理装置の構成を示すブロック図である。
【図２】図１の画像処理装置の動作の一例を説明するための図である。
【図３】同じく図１の画像処理装置の動作の一例を説明するための図である。
【図４】同じく図１の画像処理装置の動作の一例を説明するための図である。
【図５】図２〜図４で説明した実施形態における画像処理装置の動作を示すフローチャートである。
【図６】この発明の他の実施形態に係る画像処理装置の動作の一例を説明するための図である。
【図７】同じく他の実施形態に係る画像処理装置の動作の一例を説明するための図である。
【図８】図６及び図７で説明した実施形態における画像処理装置の動作を示すフローチャートである。
【発明を実施するための形態】
【００２３】
以下、この発明の実施形態を図面に基づいて説明する。
【００２４】
図１は、この発明の一実施形態に係る画像処理装置１の構成を示すブロック図である。
【００２５】
この実施形態では、画像処理装置１として多機能デジタル複合機である前述したＭＦＰが用いられている。なお、以下の説明では画像処理装置をＭＦＰとも称す。
【００２６】
ＭＦＰ１は、ＣＰＵ（Central Processing Unit）２１、ＲＯＭ（Read Only Memory）２２、ＲＡＭ（Random Access Memory）２３、不揮発ＲＡＭ２４、ハードディスク装置（ＨＤＤ）３８、モータードライバ２５、ＩＲ（Image Reader）／ＡＤＦ（Auto Document Feeder）モーター２６、操作・表示部２７、ＣＣＤ（Charge Coupled Devices)２８、ＵＳＢ（Universal Serial Bus）インターフェース２９、ＮＩＣ（Network Interface Card）３０、画像処理チップ３１、画像処理用ＲＡＭ３２、プリントエンジン３３、ＴＥＬ応答モジュール３４、モデム３５、公衆回線インターフェースモジュール３６、認証モジュール３７、認証装置３、無線通信部４などで構成される。
【００２７】
前記ＣＰＵ２１とＲＯＭ２２とＲＡＭ２３と不揮発ＲＡＭ２４とで制御部が構成される。ＣＰＵ２１は、ＲＯＭ２２に保存されている制御プログラムをＲＡＭ２３にコピーした後、ＲＡＭ２３上の制御プログラムに従って、スキャナ機能、ファクシミリ機能、プリント機能及びコピー機能などの各機能についての全体制御を行う。さらに、この実施形態では、ユーザーの自装置へのログイン状態を管理するとともに、ユーザーが所有する携帯端末装置の位置情報を取得して、携帯端末装置と自装置との距離換言すればユーザーと自装置との距離を算出し、その結果に応じてログイン状態を制御する等の制御を行うが、この点については後述する。
【００２８】
ＩＲ／ＡＤＦモーター２６は、読取装置や自動原稿送り装置を駆動するモーターである。また、モータードライバ２５は、ＩＲ／ＡＤＦモーター２６を駆動制御する。
【００２９】
操作・表示部２７は、ＬＣＤ（Liquid Crystal Display）や有機ＥＬ（electroluminescence）ディスプレイ上に、透明電極が格子状に配置された感圧式のタッチパネルと、ハードキーとで構成される。
【００３０】
画像処理チップ３１は、ＣＣＤ２８で読み取られた原稿の画像データや、ＵＳＢインターフェースを介してＵＳＢメモリから取得された画像データや、ＮＩＣを介して受信したユーザー端末等からのプリントデータに画像処理を実行する。画像処理後のデータはプリントエンジン部３３により用紙に印刷される。
【００３１】
認証装置３は、ユーザーがログインするときに認証を行うものであり、インターフェースである認証モジュール３７を介して接続されている。認証方式はユーザーＩＤやパスワード等の情報を操作パネルから入力する方式でも良いし、ＩＣカード等に記載されたユーザー情報を非接触で読み取る方式でも良いし、指紋認証等の生体認証であっても良い。この実施形態では、認証装置３とユーザーが所有する携帯端末装置には、Ｆｅｌｉｃａ等の非接触ＩＣカード技術が組み込まれており、それによってユーザーが携帯端末装置を認証装置３に近付けることで、ユーザー情報を自動的に読み取るとともに、この読み取ったユーザー情報を記憶部３８に記憶された各ユーザーの照合用の認証情報と比較して、認証をおこなうものとなされている。なお、各ユーザーの照合用の認証情報を外部装置に保存しておき、画像処理装置１が入力されたユーザー情報を外部装置に送信して、外部装置が照合を行い、その結果を受けて認証を行う形態であっても良い。
【００３２】
無線通信部４は、ブルートゥース（Bluetooth(登録商標)）などの無線通信方式により、各ユーザーが所有する携帯端末装置と無線通信を行うものである。そして、ＣＰＵ２１は、携帯端末装置の位置情報を取得して、携帯端末装置と無線通信部４との距離を、特開２０１２−５８０８９号に記載の技術により算出する。もしくは、自装置と携帯端末装置との距離を特開２０１２−１４６１６８号に記載の技術により算出する。
【００３３】
次に、図１に示した画像処理装置１が実行するログイン制御について、図２を参照して説明する。
【００３４】
まず、第１のユーザーであるユーザーＡが、認証装置３による認証を受けてＭＦＰ１にログインしているものとし、ユーザーＡのログイン中に、第２のユーザーであるユーザーＢが認証を受けて割り込み的にログインするものとする。
【００３５】
このとき、ＭＦＰ１はユーザーＢのログインを許可し、ユーザーＡの設定状態及び残ジョブ情報を記憶部３８等に退避し、ユーザーＢをログイン状態にする。
【００３６】
ＭＦＰ１を使用したユーザーＢがログアウトすると、そのときにＭＦＰ１は無線通信部４を介してユーザーＡの携帯端末装置６と無線通信を行って、携帯端末装置６の位置情報を取得する。ＭＦＰ１は、取得した携帯端末装置６の位置情報を基に、ＭＦＰ１（無線通信部４）と携帯端末装置６（ユーザーＡ）との距離Ｘを求め、この求めた距離Ｘが予め設定された一定距離Ｌ以内であるかどうか、換言すればユーザーＡの位置がＭＦＰ１からの距離Ｌ内の位置であるかどうかを判断する。
【００３７】
そして、ユーザーＡの位置がＭＦＰ１からの距離Ｌ内であれば、ユーザーＡはすぐにＭＦＰ１の操作を再開できるから、ユーザーＡをログイン状態とすると共に、記憶部３８等に退避させたユーザーＡの設定状態及び残ジョブ情報を呼び戻し、ユーザーＡの設定状態を復帰させ残ジョブを実行可能とする。これにより、ユーザーＡは再ログイン動作を行うことなくＭＦＰ１を使用でき、操作性が向上する。
【００３８】
一方、図３に示すように、ユーザーＡの位置がＭＦＰ１からの距離Ｌ外の位置である場合は、ユーザーＡがＭＦＰ１から遠い場所にいるから、ユーザーＡをログイン状態にせず、ログイン待ち状態とする。これにより、ログイン状態に復帰させた場合のように、ユーザーＡがＭＦＰ１に戻るまでの間に他のユーザーＣがユーザーＡとしてＭＦＰ１を使用できてしまうという不都合を解消できる。
【００３９】
また、望ましくは、ユーザーＢがログアウトしたときに、ユーザーＡの携帯端末装置６との距離だけでなく、ユーザーＡ及びユーザーＢ以外の第３のユーザーＣ、Ｄの携帯端末装置６との距離を算出し、ユーザーＡが一定距離Ｌ内に居たとしても、第３のユーザーの方がＭＦＰ１の近くに居る場合は、この第３のユーザーがユーザーＡとしてＭＦＰ１を使用できる危険性が高まるので、ユーザーＡをログイン状態にせず、ログイン待ち状態とするのが良い。
【００４０】
つまり、図２に示すように、ユーザーＡとＭＦＰ１との距離Ｘが、ＭＦＰ１の最も近くにいる第３のユーザーＣとＭＦＰ１との距離Ｙよりも小さい場合は、ユーザーＡの方がＭＦＰ１の近くに居るので、ユーザーＡをログイン状態とすると共に、記憶部３８等に退避させたユーザーＡの設定状態及び残ジョブ情報を呼び戻し、ユーザーＡの設定状態を復帰させ残ジョブを実行可能とする
一方、図４に示すように、ユーザーＡとＭＦＰ１との距離Ｘ’が、ＭＦＰ１の最も近くにいる第３のユーザーＣとＭＦＰ１との距離Ｙ’よりも大きい場合は、ユーザーＡをログイン状態にせず、ログイン待ち状態とするのが良い。
【００４１】
図５は、図２〜図４で説明した実施形態におけるＭＦＰ１の動作を示すフローチャートである。このフローチャートは、ＭＦ１のＣＰＵ２１がＲＯＭ２２に記録された動作プログラムに従って動作することにより実行される。
【００４２】
ステップＳ０１でユーザーＡのログインを受け付け、ステップＳ０２でユーザーＡの使用を許可する。ステップＳ０３では、ユーザーＢが認証装置３を介してログインを実行したかどうかを判断する。ログインが実行されなければ（ステップＳ０３でＮＯ）、実行されるのを待つ。実行されると（ステップＳ０３でＹＥＳ）、ステップＳ０４で、ユーザーＡによるジョブの動作中かどうかを判断する。動作中でなければ（ステップＳ０４でＮＯ）、ステップＳ０６に進む。動作中であれば（ステップＳ０４でＹＥＳ）、ステップＳ０５でジョブの出力を停止した後、ステップＳ０６に進む。
【００４３】
ステップＳ０６では、ユーザーＡによるモード設定途中の状態、すなわちデフォルトモードからの差異情報と、停止中ジョブ情報（残ジョブ情報）を記憶部３８に退避する。ついで、ステップＳ０７で、ユーザーＡをログアウト状態とするとともに、ステップＳ０８で、ユーザーＢをログイン状態にする。そして、ステップＳ０９で、ユーザーＢの使用を許可する。
.  その後、ステップＳ１０でユーザーＢのログアウトを待ち（ステップＳ１０でＮＯ）、ログアウトした場合は（ステップＳ１０でＹＥＳ）、ステップＳ１１で、ＭＦＰ１と登録ユーザーが所有する携帯端末装置６との距離を、無線通信部４を介した無線通信により算出する。無線通信にて検出されなかった携帯端末装置６のユーザーは対象外とする。そして、ＭＦＰ１との距離が一定範囲内（Ｌ以内）にユーザーＡが居て、かつＢ以外のユーザーも居るかどうかを判断する。
【００４４】
ＭＦＰ１との距離が一定範囲内（Ｌ以内）にユーザーＡが居て、かつＢ以外のユーザーも居る場合は（ステップＳ１１でＹＥＳ）、ステップＳ１２で、ユーザーＡはユーザーＢ以外で最もＭＦＰ１に近いかどうかを判断する。ユーザーＡはユーザーＢ以外で最もＭＦＰ１に近い場合（ステップＳ１２でＹＥＳ）、ステップＳ１３でユーザーＡをログイン状態としたのち、ステップＳ１４で、記憶部３８に退避した状態を設定復帰し、同じく退避した停止中ジョブ情報を呼び戻して実行可能とする。
【００４５】
ユーザーＡは再度のログイン操作を要求されることなく、例えばスタートボタンを押すことにより停止中ジョブを再開することができ、便利である。
【００４６】
一方、ステップＳ１１で、ＭＦＰ１との距離が一定範囲内（Ｌ以内）にユーザーＡが居ない場合や（ステップＳ１１でＮＯ）、ステップＳ１２で、ユーザーＢ以外でユーザーＡよりも最もＭＦＰ１に近いユーザーが居る場合は（ステップＳ１２でＮＯ）、ステップＳ１５で、ログイン状態とせずモードをリセットしログイン待ち状態とする。
【００４７】
なお、図５に示したフローチャートでは、ステップＳ１１で、ＭＦＰ１との距離が一定範囲内（Ｌ以内）にユーザーＡが居て、かつＢ以外のユーザーも居るかどうかを判断したが、前述したように、ＭＦＰ１との距離が一定範囲内（Ｌ以内）にユーザーＡが居るかどうかのみを判断し、居る場合にはユーザーＡをログイン状態に復帰させ、停止中ジョブを再開可能としても良い。
【００４８】
図６及び図７は、この発明の他の実施形態を示すもので、入退室管理を行う室内１４にＭＦＰ１を設置し、ＭＦＰ１のユーザー認証と入退室管理を連携させたシステムを上から見た構成図である。
【００４９】
このシステムでは、ネットワーク１１下にＭＦＰ１や認証サーバー１２が接続されている。また室内１４の入りロに設けられた入退室管理装置１３とも接続されており、ユーザーの入退室管理はＭＦＰ１の認証管理と同様に、認証サーバー１２にて行われている。
【００５０】
図６において、例えばユーザーＡ〜ＤがＭＦＰ１の設置された室内１４に入室すると、入室したことが入退室管理装置１３により検出され、認証サーバー１２により管理される。
【００５１】
まず、室内１４に入室した第１のユーザーであるユーザーＡが、認証装置３による認証を受けてＭＦＰ１にログインしているものとし、ユーザーＡのログイン中に、第２のユーザーであるユーザーＢが認証を受けて割り込み的にログインするものとする。
【００５２】
このとき、ＭＦＰ１はユーザーＢのログインを許可し、ユーザーＡの設定状態及び残ジョブ情報を記憶部３８等に退避し、ユーザーＢをログイン状態にする。
【００５３】
ＭＦＰを使用したユーザーＢがログアウトすると、そのときにＭＦＰ１は無線通信部４を介してユーザーＡの携帯端末装置６と無線通信を行って、携帯端末装置６の位置情報を取得する。ＭＦＰ１は、取得した携帯端末装置６の位置情報を基に、ＭＦＰ１（無線通信部４）と携帯端末装置６（ユーザーＡ）との距離Ｘを求め、この求めた距離Ｘが予め設定された一定距離Ｌ以内であるかどうか、換言すればユーザーＡの位置がＭＦＰ１からの距離Ｌ内であるかどうかを判断する。
【００５４】
そして、ユーザーＡが室内１４に居て、その位置がＭＦＰ１からの距離Ｌ内であれば、ユーザーＡはすぐにＭＦＰ１の操作を再開できるから、ユーザーＡをログイン状態とすると共に、記憶部３８等に退避させたユーザーＡの設定状態及び残ジョブ情報を呼び戻し、ユーザーＡの設定状態を復帰させ残ジョブを実行可能とする。これにより、ユーザーＡは再ログイン動作を行う必要はなくなり、操作性が向上する。
【００５５】
一方、図７に示すように、ユーザーＡの位置がＭＦＰ１からの距離Ｌ内の位置であっても、ユーザーＡが室内１４に居ない場合は、ユーザーＡがすぐにはＭＦＰ１に戻れないから、ユーザーＡをログイン状態にせず、ログイン待ち状態とする。これにより、ログイン状態に復帰させた場合のように、ユーザーＡがＭＦＰに戻るまでの間に他のユーザーＣがユーザーＡとしてＭＦＰ１を使用できてしまうという不都合を解消できる。
【００５６】
また、望ましくは、ユーザーＢがログアウトしたときに、ユーザーＡの携帯端末装置６との距離だけでなく、ユーザーＡ及びユーザーＢ以外の室内１４に居る第３のユーザーＣ、Ｄの携帯端末装置６との距離を算出し、ユーザーＡが室内１４でかつＭＦＰ１から一定距離Ｌ内に居たとしても、第３のユーザーの方がＭＦＰ１の近くに居る場合は、この第３のユーザーがユーザーＡとしてＭＦＰ１を使用できる危険性が高まるので、ユーザーＡをログイン状態にせず、ログイン待ち状態とするのが良い。
【００５７】
つまり、図６に示すように、ユーザーＡとＭＦＰ１との距離Ｘが、ＭＦＰ１の最も近くにいる第３のユーザーＣと無線通信部４との距離Ｙよりも小さい場合は、ユーザーＡの方がＭＦＰ１の近くに居るので、ユーザーＡをログイン状態とすると共に、記憶部３８等に退避させたユーザーＡの設定状態及び残ジョブ情報を呼び戻し、ユーザーＡの設定状態を復帰させ残ジョブを実行可能とする
一方、図７に示すように、ユーザーＡがたとえ室内１４に居たとしても、ＭＦＰ１との距離Ｘ’が、ＭＦＰ１の最も近くにいる第３のユーザーＣと無線通信部４との距離Ｙ’よりも大きい場合は、ユーザーＡをログイン状態にせず、ログイン待ち状態とするのが良い。
【００５８】
図８は、図６及び図７で説明した実施形態におけるＭＦＰ１の動作を示すフローチャートである。このフローチャートは、ＭＦ１のＣＰＵ２１がＲＯＭ２２に記録された動作プログラムに従って動作することにより実行される。
【００５９】
ステップＳ２１で、既に室内１４に入室したユーザーＡのログインを受け付け、ステップＳ２２でユーザーＡの使用を許可する。ステップＳ２３では、室内１４に入室しているユーザーＢが認証装置３を介してログインを実行したかどうかを判断する。ログインが実行されなければ（ステップＳ２３でＮＯ）、実行されるのを待つ。実行されると（ステップＳ２３でＹＥＳ）、ステップＳ２４で、ユーザーＡによるジョブの動作中かどうかを判断する。動作中でなければ（ステップＳ２４でＮＯ）、ステップＳ２６に進む。動作中であれば（ステップＳ２４でＹＥＳ）、ステップＳ２５でジョブの出力を停止した後、ステップＳ２６に進む。
【００６０】
ステップＳ２６では、ユーザーＡによるモード設定途中の状態、すなわちデフォルトモードからの差異情報と、停止中ジョブ情報（残ジョブ情報）を記憶部３８に退避する。ついで、ステップＳ２７で、ユーザーＡをログアウト状態とするとともに、ステップＳ２８で、ユーザーＢをログイン状態にする。そして、ステップＳ２９で、ユーザーＢの使用を許可する。
.  その後、ステップＳ３０でユーザーＢのログアウトを待ち（ステップＳ３０でＮＯ）、ログアウトした場合は（ステップＳ３０でＹＥＳ）、ステップＳ３１で、ＭＦＰ１と登録ユーザーが所有する携帯端末装置６との距離を、無線通信部４を介した無線通信により算出する。無線通信にて検出されなかった携帯端末装置６のユーザーは対象外とする。そして、ＭＦＰ１との距離が一定範囲内（Ｌ以内）にユーザーＡが居て、かつＢ以外のユーザーも居るかどうかを判断する。
【００６１】
ＭＦＰ１との距離が一定範囲内（Ｌ以内）にユーザーＡが居て、かつＢ以外のユーザーも居る場合は（ステップＳ３１でＹＥＳ）、ステップＳ３２で、ユーザーＡはユーザーＢ以外で最もＭＦＰ１に近いかどうかを判断する。ユーザーＡはユーザーＢ以外で最もＭＦＰ１に近い場合（ステップＳ３２でＹＥＳ）、ステップＳ３３で、ユーザーＡが室内に居るかどうかを判定し、室内に居る場合（ステップＳ３３でＹＥＳ）、ステップＳ３４でユーザーＡをログイン状態としたのち、ステップＳ３５で、記憶部３８に退避した状態を設定復帰し、同じく退避した停止中ジョブ情報を呼び戻して実行可能とする。
【００６２】
ユーザーＡは再度のログイン操作を要求されることなく、例えばスタートボタンを押すことにより停止中ジョブを再開することができる。
【００６３】
一方、ステップＳ３１で、ＭＦＰ１との距離が一定範囲内（Ｌ以内）にユーザーＡが居ない場合や（ステップＳ１１でＮＯ）、ステップＳ３２で、ユーザーＢ以外でユーザーＡよりも最もＭＦＰ１に近いユーザーが居る場合や（ステップＳ３２でＮＯ）、ステップＳ３３で、ユーザーＡが室内１４にいない場合は（ステップＳ３３でＮＯ）、ステップＳ３６で、ログイン状態とせずモードをリセットしログイン待ち状態とする。
【００６４】
なお、図８に示したフローチャートでは、ステップＳ３１で、ＭＦＰ１との距離が一定範囲内（Ｌ以内）にユーザーＡが居て、かつＢ以外のユーザーも居るかどうかを判断したが、前述したように、ＭＦＰ１との距離が一定範囲内（Ｌ以内）にユーザーＡが居るかどうかと、ステップＳ３３でユーザーＡが室内１４に居るかどうかを判断し、一定範囲内でかつ室内に居る場合にはユーザーＡをログイン状態に復帰させ、停止中ジョブを再開可能としても良い。
【符号の説明】
【００６５】
１      画像処理装置
３      認証装置
４      無線通信部
６      携帯端末装置
１１    ネットワーク
１２    認証サーバー
１３    入退室管理装置
１４    室内
２１    ＣＰＵ
３８    記憶部
【図１】
2015022647.tif 000003
【図２】
2015022647.tif 000004
【図３】
2015022647.tif 000005
【図４】
2015022647.tif 000006
【図５】
2015022647.tif 000007
【図６】
2015022647.tif 000008
【図７】
2015022647.tif 000009
【図８】
2015022647.tif 000010